(57)【要約】【課題】  ２本の巻線が互いに同じ長さを有するコモンモードフィルタを得る。【解決手段】  コモンモードフィルタは、第１のフランジ、第２のフランジ、及び巻芯を備えたドラムコアと、巻芯の周りに第１の巻回開始位置から第１の巻回終了位置まで巻回された第１の巻線と、当該巻芯の周りに第２の巻回開始位置から第２の巻回終了位置まで巻回された第２の巻線と、を有する。当該第１の巻回開始位置及び当該第２の巻回開始位置は、第１のフランジまでの距離が互いに等しい位置であり、且つ、前記巻芯の中心を基準に互いに点対称な位置に配されており、前記第１の巻回終了位置及び前記第２の巻回終了位置は、前記第２のフランジまでの距離が互いに等しい位置であり、且つ、前記巻芯の中心を基準に互いに点対称な位置に配されている。【選択図】図６
2018107306.tif 000002
【特許請求の範囲】
【請求項１】
巻芯と、前記巻芯の一端に設けられており回路基板の実装面と対向する第１の下面及び当該第１の下面と交わる一組の第１の端面を有する第１のフランジと、前記巻芯の他端に設けられており前記回路基板の実装面と対向する第２の下面及び当該第２の下面と交わる一組の第２の端面を有する第２のフランジと、を有するドラムコアと、
前記第１のフランジに設けられ、第１の係止部を有する第１の端子電極と、
前記第２のフランジに設けられ、第２の係止部を有する第２の端子電極と、
前記第１のフランジに設けられ、第３の係止部を有する第３の端子電極と、
前記第２のフランジに設けられ、第４の係止部を有する第４の端子電極と、
前記巻芯上の第１の巻回開始位置から第１の券回終了位置まで前記巻芯に巻回された第１の巻回部と、前記第１の巻回開始位置から延伸して前記第１の係止部に係止されることで前記第１の端子電極に接続される第１の引出し部と、前記第１の券回終了位置から延伸して前記第２の係止部に係止されることで前記第２の端子電極に接続される第２の引出し部と、を有する第１の巻線と、
前記巻芯上の第２の巻回開始位置から第２の券回終了位置まで前記第１の巻線と同じ方向に前記第１の巻線と同一周回数だけ前記巻芯に巻回された第２の巻回部と、前記第２の巻回開始位置から延伸して前記第３の係止部に係止されることで前記第３の端子電極に接続される第３の引出し部と、前記第２の券回終了位置から延伸して前記第４の係止部に係止されることで前記第４の端子電極に接続される第４の引出し部と、を有する第２の巻線と、
を備え、
前記第１の巻回開始位置及び前記第２の巻回開始位置は、前記第１のフランジまでの距離が互いに等しい位置であり、且つ、前記巻芯の中心を基準に互いに点対称な位置に配されており、
前記第１の巻回終了位置及び前記第２の巻回終了位置は、前記第２のフランジまでの距離が互いに等しい位置であり、且つ、前記巻芯の中心を基準に互いに点対称な位置に配されており、
前記第１の係止部と前記第３の係止部とは、前記巻芯の中心を基準に互いに点対称な位置に配されており、
前記第２の係止部と前記第４の係止部とは、前記巻芯の中心を基準に互いに点対称な位置に配されており、
前記第１の引出し部は、前記第１の巻回開始位置から前記第１の係止部が配されている前記第１の端面の内方端まで直線状に延伸しており、
前記第２の引出し部は、前記第１の巻回終了位置から前記第２の係止部が配されている前記第２の端面の内方端まで直線状に延伸しており、
前記第３の引出し部は、前記第２の巻回開始位置から前記第３の係止部が配されている前記第１の端面の内方端まで直線状に延伸しており、
前記第４の引出し部は、前記第２の巻回終了位置から前記第４の係止部が配されている前記第２の端面の内方端まで直線状に延伸している、
コモンモードフィルタ。
【請求項２】
前記第１の端子電極は、前記一組の第１の端面の一方に配された第１の接合面と、当該第１の接合面に形成された第１の係止片と、を有し、
前記第２の端子電極は、前記一組の第２の端面の一方に配された第２の接合面と、当該第２の接合面に形成された第２の係止片と、を有し、
前記第３の端子電極は、前記一組の第１の端面の他方に配された第３の接合面と、当該第３の接合面に形成された第３の係止片と、を有し、
前記第４の端子電極は、前記一組の第２の端面の他方に配された第４の接合面と、当該第４の接合面に形成された第４の係止片と、を有し、
前記第１の引出し部は、前記第１の接合面と前記第１の係止片とに挟まれることで、前記第１の端子電極に接続されており、
前記第２の引出し部は、前記第２の接合面と前記第２の係止片とに挟まれることで、前記第２の端子電極に接続されており、
前記第３の引出し部は、前記第３の接合面と前記第３の係止片とに挟まれることで、前記第３の端子電極に接続されており、
前記第４の引出し部は、前記第４の接合面と前記第４の係止片とに挟まれることで、前記第４の端子電極に接続されている、
請求項１に記載のコモンモードフィルタ。
【請求項３】
前記第１の引出し部は、前記第１の巻回開始位置から前記第１の端面の内方端まで直線状に延伸する第１のブリッジ部と、前記第１のブリッジ部の端部から前記第１の係止片まで直線状に延伸する第１の接合部と、を有し、
前記第２の引出し部は、前記第１の巻回終了位置から前記第２の端面の内方端まで直線状に延伸する第２のブリッジ部と、前記第２のブリッジ部の端部から前記第２の係止片まで直線状に延伸する第２の接合部と、を有し、
前記第３の引出し部は、前記第２の巻回開始位置から前記第３の端面の内方端まで直線状に延伸する第３のブリッジ部と、前記第３のブリッジ部の端部から前記第３の係止片まで直線状に延伸する第３の接合部と、を有し、
前記第４の引出し部は、前記第２の巻回終了位置から前記第４の端面の内方端まで直線状に延伸する第４のブリッジ部と、前記第４のブリッジ部の端部から前記第４の係止片まで直線状に延伸する第４の接合部と、を有する、
請求項２に記載のコモンモードフィルタ。
【請求項４】
前記第１の引出し部は、正面視において、前記第１の巻回開始位置と前記第１の係止片のうち前記第１の巻回開始位置に最も近い位置にある第１の係止点とを結ぶ第１の直線に沿って配置されており、
前記第２の引出し部は、正面視において、前記第１の巻回終了位置と前記第２の係止片のうち前記第１の巻回終了位置に最も近い位置にある第２の係止点とを結ぶ第２の直線に沿って配置されており、
前記第３の引出し部は、正面視において、前記第２の巻回開始位置と前記第２の係止片のうち前記第２の巻回開始位置に最も近い位置にある第３の係止点とを結ぶ第３の直線に沿って配置されており、
前記第４の引出し部は、正面視において、前記第２の巻回終了位置と前記第２の係止片のうち前記第２の巻回終了位置に最も近い位置にある第４の係止点とを結ぶ第４の直線に沿って配置されている、
請求項２又は請求項３に記載のコモンモードフィルタ。
【請求項５】
前記第１の係止片は、第１の折り曲げ線に沿って前記第１の接合面に向かって折り曲げられており、
前記第１の折り曲げ線は、正面視において前記第１の直線に対して傾斜しており、
前記第１の接合部は、前記第１の係止点において、前記第１の折り曲げ線に向かって屈曲するように構成されている、請求項２から請求項４のいずれか１項に記載のコモンモードフィルタ。
【請求項６】
前記第１の係止片は、正面視において前記第１の直線と同一線上にある第１の折り曲げ線に沿って前記第１の接合面に向かって折り曲げられている、請求項２から請求項５のいずれか１項に記載のコモンモードフィルタ。
【発明の詳細な説明】
【技術分野】
【０００１】
本発明は、コモンモードフィルタに関し、更に具体的には、巻線型のコモンモードフィルタに関する。
【背景技術】
【０００２】
高周波回路で用いられる電子部品としてコモンモードフィルタがある。コモンモードフィルタは、主に巻線タイプと薄膜タイプとに分けられる。高周波回路には、巻線タイプのコモンモードフィルタが用いられることが多い。
【０００３】
巻線タイプのコモンモードフィルタは、ドラムコアと、このドラムコアの周囲に巻回された２本の巻線と、この２本の巻線の各々の端部と電気的に接続される複数の端子電極とを備える。ドラムコアは、一対のフランジと当該一対のフランジを連結する巻芯とを有する。２本の巻線はそれぞれ、巻芯の外周面に巻回されている巻回部と、当該巻回部の両端から当該巻先の先端まで延伸する引出し部と、を有する。
【０００４】
２本の巻線はそれぞれ、各引出し部で、対応する端子電極と電気的に接続される。巻回部は、巻芯の外周面に接するように、当該巻芯に巻回される。巻回部は、複数ターン巻回される。巻線の特性インピーダンスを整合させるためには、巻回部の隣接するターン間の間隔を一定とすることで、巻回部に発生する線間容量が一定となっていることが望ましい。
【０００５】
従来の巻線タイプのコモンモードフィルタは、例えば、特開２００５−５６９３４号公報（特許文献１）、特開２０１２−２９２１０号公報（特許文献２）、特開２００２−００８９３１号公報（特許文献３）、及び国際公開ＷＯ２００８／０９６４８７号公報（特許文献４）に開示されている。これらの従来のコモンモードフィルタでは、フランジの下面又は上面に端子電極が設けられており、この端子電極の接合部に巻線の引出し部が接合されている。
【先行技術文献】
【特許文献】
【０００６】
【特許文献１】特開２００５−０５６９３４号公報
【特許文献２】特開２０１２−０２９２１０号公報
【特許文献３】特開２００２−００８９３１号公報
【特許文献４】国際公開ＷＯ２００８／０９６４８７号公報
【発明の概要】
【発明が解決しようとする課題】
【０００７】
コモンモードフィルタの２本の巻線は、互いに同じ長さを有するように形成されることが望ましい。これは、２本の巻線が互いに異なる長さを有すると、特性インピーダンスを整合させることが困難となるためである。
【０００８】
しかしながら、フランジの下面又は上面の一方に端子電極が設けられている従来のコモンモードフィルタにおいては、２本の巻線の幾何学的配置、特に、引出し部の幾何学的配置が互いに非対称となるため、２本の巻線の長さを互いに同じくすることが難しい。
【０００９】
汎用化されたドラムコアを用いる場合には、２本の巻線の一方の引出し部の長さと他方の引出し部の長さとを同じくすることが特に難しい。例えば、汎用化されたドラムコアを用いる場合には、インダクタンス値の設計値が小さくなるほど巻芯への巻線の巻回数が少なくなるため、例えば特許文献４の図３に示されているように、巻線が一方のフランジ側に偏って配置される。
【００１０】
特許文献２に示されているように、２本の巻線がバイファイラ巻きされる場合には、隣接するターン間での巻線間の距離を一定にすることにより、２本の巻線の各々をドラムコアの巻芯の長さ方向において当該巻芯の中央に対して対称に形成できる可能性がある。しかしながら、特許文献２の段落［０００６］でも指摘されているように、２本の巻線を互いにの間隔が一定となるようにバイファイラ巻きすることは容易ではない。
【００１１】
特開２００２−００８９３１号公報（特許文献３）の図５には、各フランジの両端面に凹部をそれぞれ形成し、当該凹部の各々に端子電極が設けられたコモンモードフィルタが開示されている。かかる配置においては、各フランジの対向する２つの側面の各々に端子電極を設けることにより、２本の巻線を幾何学的に対称に配置することが可能となる。
【００１２】
しかしながら、特許文献３に記載のコモンモードフィルタにおいては、各巻線の引出し部が緩んだ状態で端子電極に接合されている。すなわち、各巻線の引出し部は、緩やかな弧を描くようにして、巻線部との境界から端子電極との接合部（導電接続部分Ｅ）まで延伸している。よって、引出し部の緩み具合に応じて、当該引出し部の長さが変わってしまう。また、引出し部が緩んでいると、巻回部の隣接するターン間の間隔がばらつく原因となる。特許文献３に記載のコモンモードフィルタにおいては、巻線の端部が平坦な電極層に溶接等により接合されているので、巻線を電極層に接合する際に、巻線にテンションをかけておくことが難しい。接合時に巻線にテンションをかけることができないと、当該巻線は、緩んだ状態で端子電極に接合されてしまう。このように、特許文献３のコモンモードフィルタにおいて、巻線の巻き始め及び巻き終わりを端子電極に緩み無く接合することは容易ではない。
【００１３】
本発明は、２本の巻線の長さを等しくすることができる巻線型のコモンモードフィルタを提供することをその目的の一つとする。より具体的な本発明の目的の一つは、２本の巻線が巻芯の長さ方向の一方に偏って当該巻芯に巻回される場合であっても、当該巻線の長さを等しくすることができるようにすることである。本発明のこれ以外の目的は、明細書全体の記載を通じて明らかにされる。
【課題を解決するための手段】
【００１４】
本発明の一実施形態に係るコモンモードフィルタは、ドラムコアと、当該ドラムコアに巻回された一組の巻線と、を有する巻線型のコモンモードフィルタである。当該ドラムコアは、巻芯と、前記巻芯の一端に設けられている第１のフランジと、前記巻芯の他端に設けられている第２のフランジと、を有する。当該第１のフランジは、回路基板の実装面と対向する第１の下面及び当該第１の下面と交わる一組の第１の端面を有し、当該第２のフランジは、前記回路基板の実装面と対向する第２の下面及び当該第２の下面と交わる一組の第２の端面を有する。
【００１５】
本発明の一実施形態に係るコモンモードフィルタは、さらに、第１の端子電極と、第２の端子電極と、第３の端子電極と、第４の端子電極と、を備える。当該第１の端子電極及び当該第３の端子電極は、前記第１のフランジに設けられており、当該第２の端子電極及び当該第４の端子電極は、前記第２のフランジに設けられている。
【００１６】
本発明の一実施形態において、当該第１の端子電極は、第１の巻線の第１の引出し部を係止するための第１の係止部を有し、当該第２の端子電極は、当該第１の巻線の第２の引出し部を係止するための第２の係止部を有し、当該第３の端子電極は、第２の巻線の第３の引出し部を係止するための第３の係止部を有し、当該第４の端子電極は、当該第２の巻線の第４の引出し部を係止するための第４の係止部を有する。
【００１７】
本発明の一実施形態において、当該第１の端子電極は、前記一組の第１の端面の一方に配された第１の接合面と、当該第１の接合面に形成された第１の係止片と、を有し、当該第２の端子電極は、前記一組の第２の端面の一方に配された第２の接合面と、当該第２の接合面に形成された第２の係止片と、を有し、当該第３の端子電極は、前記一組の第１の端面の他方に配された第３の接合面と、当該第３の接合面に形成された第３の係止片と、を有し、当該第４の端子電極は、前記一組の第２の端面の他方に配された第４の接合面と、当該第４の接合面に形成された第４の係止片と、を有する。
【００１８】
本発明の一実施形態において、前記一組の巻線は、第１の巻線と、第２の巻線とを有する。当該第１の巻線は、前記巻芯上の第１の巻回開始位置から第１の券回終了位置まで前記巻芯に巻回された第１の巻回部と、前記第１の巻回開始位置から延伸して前記第１の係止部に係止されることで前記第１の端子電極に接続される第１の引出し部と、前記第１の券回終了位置から延伸して前記第２の係止部に係止されることで前記第２の端子電極に接続される第２の引出し部と、を有する。当該第２の巻線は、前記巻芯上の第２の巻回開始位置から第２の券回終了位置まで前記巻芯に巻回された第２の巻回部と、前記第２の巻回開始位置から延伸して前記第３の係止部に係止されることで前記第３の端子電極に接続される第３の引出し部と、前記第２の券回終了位置から延伸して前記第４の係止部に係止されることで前記第４の端子電極に接続される第４の引出し部と、を有する。前記第２の巻回部は、前記第１の巻線（の前記第１の巻回部）と同じ方向に前記第１の巻線と同一周回数だけ巻回されている。
【００１９】
上記実施形態によれば、第１の巻線の巻回部（第１の巻回部）と第２の巻線の巻回部（第２の巻回部）とは互いに等しい長さを有する。
【００２０】
本発明の一実施形態において、前記第１の係止部は、第１の接合面及び第１の係止片を含み、前記第２の係止部は、第２の接合面及び第２の係止片を含み、前記第３の係止部は、第３の接合面及び第３の係止片を含み、前記第４の係止部は、第４の接合面及び第４の係止片を含む。当該実施形態においては、前記第１の引出し部は、前記第１の接合面と前記第１の係止片とに挟まれることで、前記第１の端子電極に接続されており、前記第２の引出し部は、前記第２の接合面と前記第２の係止片とに挟まれることで、前記第２の端子電極に接続されており、前記第３の引出し部は、前記第３の接合面と前記第３の係止片とに挟まれることで、前記第３の端子電極に接続されており、前記第４の引出し部は、前記第４の接合面と前記第４の係止片とに挟まれることで、前記第４の端子電極に接続される。
【００２１】
本発明の一実施形態において、前記第１の巻回開始位置及び前記第２の巻回開始位置は、前記第１のフランジまでの距離が互いに等しい位置であり、且つ、前記巻芯の中心を基準に互いに点対称な位置に配されており、前記第１の巻回終了位置及び前記第２の巻回終了位置は、前記第２のフランジまでの距離が互いに等しい位置であり、且つ、前記巻芯の中心を基準に互いに点対称な位置に配されている。
【００２２】
本発明の一実施形態において、前記第１の係止部と前記第３の係止部とは、前記巻芯の中心を基準に互いに点対称な位置に配されており、前記第２の係止部と前記第４の係止部とは、前記巻芯の中心を基準に互いに点対称な位置に配されている。
【００２３】
上記実施形態によれば、第１の巻回開始位置と第２の巻回開始位置との間の幾何学的対称性、及び、第１の係止片と第３の計四辺との間の幾何学的対称性により、第１の巻線の第１の引出し部と第２の巻線の第３の引出し部とは互いに等しい長さを有する。同様に、第１の巻回終了位置と第２の巻回終了位置との間の幾何学的対称性、及び、第２の係止片と第４の計四辺との間の幾何学的対称性により、第１の巻線の第２の引出し部と第２の巻線の第４の引出し部とは互いに等しい長さを有する。
【００２４】
本発明の一実施形態において、前記第１の引出し部は、前記第１の巻回開始位置から前記第１の係止部が配されている前記第１の端面の内方端まで直線状に延伸しており、前記第２の引出し部は、前記第１の巻回終了位置から前記第２の係止部が配されている前記第２の端面の内方端まで直線状に延伸しており、前記第３の引出し部は、前記第２の巻回開始位置から前記第３の係止部が配されている前記第１の端面の内方端まで直線状に延伸しており、前記第４の引出し部は、前記第２の巻回終了位置から前記第４の係止部が配されている前記第２の端面の内方端まで直線状に延伸している。
【００２５】
上記の実施形態によれば、第１の引出し部とそれに対応する第３の引出し部との間、及び、第２の引出し部とそれに対応する第４の引出し部との間に幾何学的対称性があるとともに、各引出し部が直線状に形成されているので、各引出し部が緩むこともない。よって、第１の引出し部の長さと第３の引出し部の長さとを等しくすることができ、また、第２の引出し部の長さと第４の引出し部の長さとを等しくすることができる。また、上述のとおり、第１の巻回部と第２の巻回部との長さも等しくなっている。したがって、第１の巻線の長さと第２の巻線の長さとを等しくすることができる。また、各巻線の各引出し部が対応する係止片と接合面とに挟まれているため、各巻線の緩みを抑制することができる。
【００２６】
本発明の一実施形態において、前記第１の引出し部は、正面視において、前記第１の巻回開始位置と前記第１の係止片のうち前記第１の巻回開始位置に最も近い位置にある第１の係止点とを結ぶ第１の直線に沿って配置されており、前記第２の引出し部は、正面視において、前記第１の巻回終了位置と前記第２の係止片のうち前記第１の巻回終了位置に最も近い位置にある第２の係止点とを結ぶ第２の直線に沿って配置されており、前記第３の引出し部は、正面視において、前記第２の巻回開始位置と前記第２の係止片のうち前記第２の巻回開始位置に最も近い位置にある第３の係止点とを結ぶ第３の直線に沿って配置されており、前記第４の引出し部は、正面視において、前記第２の巻回終了位置と前記第２の係止片のうち前記第２の巻回終了位置に最も近い位置にある第４の係止点とを結ぶ第４の直線に沿って配置されている。
【００２７】
かかる配置は、各引出し部を対応する係合片と対応する接合面との間に挟む際に、当該引出し部に緩みが生じない程度の張力をかけることにより実現される。当該実施形態によれば、引出し部の緩みによる長さのずれを防止することができる。
【００２８】
本発明の一実施形態において、前記第１の係止片は、第１の折り曲げ線に沿って前記第１の接合面に向かって折り曲げられており、前記第１の折り曲げ線は、正面視において前記第１の直線に対して傾斜しており、前記第１の接合部は、前記第１の係止点において、前記第１の折り曲げ線に向かって屈曲するように構成されている。
【００２９】
当該実施形態によれば、第１の巻線の第１の接合部が第１の係止片にある第１の係止点で第１の折り曲げ線の方向に屈曲しているので、第１の巻線に対して当該第１の係止片から抜ける方向に力が加えられた場合であっても、当該屈曲した部位が係止片に引っ掛かって、当該第１の巻線の第１の接合部が当該第１の係止片から抜けにくくなる。
【００３０】
本発明の一実施形態において、前記第１の係止片は、正面視において前記第１の直線と同一線上にある第１の折り曲げ線に沿って前記第１の接合面に向かって折り曲げられている。
【００３１】
当該実施形態によれば、第１の巻線の第１の引出し部が延伸する方向（第１の直線に沿った方向）と第１の係止片の折り曲げ線とが同一線上にあるため、係止片の折り曲げ線方向の全長に亘って当該第１の引出し部を係止することができるので、当該第１の引出し部を安定して保持することができる。
【発明の効果】
【００３２】
上記の本発明の各実施形態によれば、第１の巻線と第２の巻線とが同じ長さを有するコモンモードフィルタが得られる。これにより、２本の巻線の特性インピーダンスを所定の値（例えば、５０Ωや１００Ω）に整合させることが容易となる。また、フランジ側面に端子電極を設けることで、下面や上面に端子電極を設けた場合と比べて、薄型のコモンモードフィルタが得られる。
【図面の簡単な説明】
【００３３】
【図１】本発明の一実施形態に係るコモンモードフィルタを示す斜視図である。
【図２】図１のコモンモードフィルタを正面視した（矢印Ｆ１ａ側から見た）正面図である。
【図３】図１のコモンモードフィルタを左側面側から見た（矢印Ｆ１ｂ方向から見た）側面図である。
【図４】図１のコモンモードフィルタを右側面側から見た（矢印Ｆ１ｃ方向から見た）側面図である。
【図５】図１のコモンモードフィルタのフランジ１６近辺を拡大して示す拡大図である。
【図６】図１のコモンモードフィルタを左側面側から見たときの各巻線の配置を模式的に示す模式図である。
【図７】図１のコモンモードフィルタを上面側から見た（矢印Ｆ１ｄ方向から見た）ときの各巻線の配置を模式的に示す模式図である。
【図８】図１のコモンモードフィルタの端子金具の展開図である。
【図９】図８の端子金具を折り曲げる工程を示す図である。図９（Ａ）は、図８の端子金具のうちの一方の展開図を示し、図９（Ｂ）は、折り曲げられた端子金具を示す正面図であり、図９（Ｃ）は、図９（Ｂ）の端子金具を矢印Ｆ４方向から見た側面図である。
【図１０】図１のコモンモードフィルタの製造工程の一例を示す図。
【図１１】図８の端子金具の一部を拡大して示す拡大図である。図１１（Ａ）においては、巻線が係止片に仮固定されている。図１１（Ｂ）は、係止辺が折り曲げられた端子金具を示す。図１１（Ｃ）においては、巻線が溶接されている。
【図１２】本発明の他の実施形態によるコモンモードフィルタに備えられる端子金具を示す。
【図１３】本発明の他の実施形態によるコモンモードフィルタを左側面側から見たときの各巻線の配置を模式的に示す模式図である。
【図１４】本発明の他の実施形態によるコモンモードフィルタにおける巻線の係止機構を説明する模式図である。
【発明を実施するための形態】
【００３４】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００３５】
図１ないし図４を参照して、本発明の一実施形態に係るコモンモードフィルタ１００について説明する。図１は、本発明の一実施形態に係るコモンモードフィルタ１００を示す斜視図であり、図２は、当該コモンモードフィルタ１００を正面視した（矢印Ｆ１ａ側から見た）正面図であり、図３は、当該コモンモードフィルタ１００を左側面側から見た（矢印Ｆ１ｂ方向から見た）側面図であり、図４は、当該コモンモードフィルタ１００を右側面側から見た（矢印Ｆ１ｃ方向から見た）側面図である。
【００３６】
図示の実施形態においては、コモンモードフィルタ１００は、ドラムコア１２と、巻線部３０と、端子電極４０，４２，４４，４６と、板コア６０と、を備える。
【００３７】
本発明の一実施形態において、ドラムコア１２は、断面が略長方形の巻芯１４と、当該巻芯１４の軸線方向の一端に設けられた略直方体のフランジ１６と、巻芯１４の軸線方向の他端に設けられた略直方体のフランジ２２と、を備える。ドラムコア１２は、例えば、Ｎｉ−Ｚｎフェライト材から形成される。本発明の一実施形態において、ドラムコア１２の透磁率（μ）は、４００〜１０００の範囲とされ、例えば５００とされる。巻芯１４の断面形状は、長方形以外に、六角形、八角形等の多角形であってもよく、円形や楕円形であってもよい。巻芯１４の断面形状は、これら以外にも本発明の趣旨に反しない任意の形状を取ることができる。
【００３８】
本発明の一実施形態において、コモンモードフィルタ１００は、その寸法が、長さ４．５×幅３．２×高さ２．８ｍｍとなるように構成される。ここで、コモンモードフィルタ１００の長さとは、ドラムコア１２の巻芯１４の軸方向（図１のＸ方向）の寸法であり、ドラムコア１２の幅とは、Ｘ方向と直交し且つ実装面と平行な方向（図１のＹ方向）の寸法であり、ドラムコア１２の高さとは、Ｘ方向及びＹ方向と直交する方向（図１のＺ方向）の寸法である。ドラムコア１２の巻芯１４は、その幅（図１のＹ方向の寸法）が１．６ｍｍ、高さ（図１のＺ方向の寸法）が０．８ｍｍとなるように構成され、ドラムコア１２は、長さ（図１のＸ方向の寸法）４．３ｍｍ、幅（図１のＹ方向の寸法）が３．２ｍｍ、高さ（図１のＺ方向の寸法）が２．１ｍｍとなるように構成される。
【００３９】
本発明の一実施形態において、巻線部３０は、２本の巻線３２，３４を備える。図示の実施形態において、巻線３２は、巻芯１４の外表面に巻回されており、その一端が端子電極４０に電気的に接続され、その他端が端子電極４６に電気的に接続されている。巻線３４は、巻線３２と同様に巻芯１４の外表面に巻回されており、その一端が端子電極４２に電気的に接続され、その他端が端子電極４４に電気的に接続されている。本発明の一実施形態においては、巻線３２，３４として、ＡＩＷ（ポリアミドイミド銅線）φ０．０５ｍｍを用いることができる。
【００４０】
本発明の一実施形態において、巻線３２及び巻線３４は、巻芯１４の外表面に、互いに同じ周回方向に、かつ、互いに同じ周回数だけ巻回される。本発明の一実施形態において、巻線３２及び巻線３４は、互いに同じピッチで巻芯１４の外表面に巻回される。
【００４１】
フランジ１６は、下面１６Ａ、上面１６Ｂ、端面１６Ｃ、端面１６Ｄ、側面１６Ｅ、及び側面１６Ｆを有し、フランジ２２は、下面２２Ａ、上面２２Ｂ、端面２２Ｃ、端面２２Ｄ、側面２２Ｅ、及び側面２２Ｆを有する。下面１６Ａ及び下面２２Ａは、コモンモードフィルタ１００が不図示の回路基板に実装される際に、当該回路基板と対向する面である。端面１６Ｃ，１６Ｄはそれぞれ、その下端において下面１６Ａと交わっており、端面２２Ｃ，２２Ｄはそれぞれ、その下端において下面２２Ａと交わっている。図示の実施形態においては、フランジ１６，２２の上面１６Ｂ，２２Ｂから内側の側面１６Ｆ，２２Ｆに向けて面取り部１６Ｇ，２２Ｇが形成されている。この面取り部１６Ｇ，２２Ｇは、端子金具１１０，１１０´，１３０，１３０´の固定のために設けられる。
【００４２】
フランジ１６の端面１６Ｃ、端面１６Ｄには、溝１８，２０がそれぞれ形成されている。溝１８，２０は、端面１６Ｃ、１６Ｄの上下方向の中央をまたぐ位置に形成されている。図示の例では、溝１８，２０は、それぞれ端面１６Ｃ，１６Ｄからテーパ面を介して底面部分につながるように形成されている。これにより、溝１８，２０の底面は、端面１６Ｃ，１６Ｄの面よりも内側に後退した位置に設けられる。端面１６Ｃ，１６Ｄのテーパ面は、端面１６Ｃ，１６Ｄの対応する底面を挟む両側にある。端面１６Ｃ，１６Ｄのそれぞれのテーパ面の角度は、巻線３２，３４が引き出される方向（引出し方向）やそれ以外の要素に応じ適宜設定される。本明細書において、溝１８，２０のテーパ面及び底面は、それぞれ端面１６Ｃ，１６Ｄの一部と考えられる。フランジ１６に形成された溝１８，２０と同様に、フランジ２２にも溝２４，２６がそれぞれ形成される。
【００４３】
本発明の一実施形態において、フランジ１６，２２は、その厚みが０．６ｍｍとなるように構成される。溝１８，２０，２４，２６はそれぞれ、その底面部の幅が０．７ｍｍ、深さが０．５ｍｍとなるように構成される。
【００４４】
端子電極４０，４２は、一方のフランジ１６に設けられ、端子電極４４，４６は、他方のフランジ２２に設けられている。図示の実施形態において、端子電極４０は端子金具１１０から成り、端子電極４２は端子金具１３０から成り、端子電極４４は端子金具１１０´から成り、端子電極４６は端子金具１３０´から成る。各端子金具１１０，１１０´，１３０，１３０´は、例えば、リン青銅板または銅板から成る。
【００４５】
端子金具１１０は、フランジ１６の端面１６Ｃに取り付けられ、端子金具１３０は端面１６Ｄに取り付けられる。また、端子金具１１０´は、フランジ２２の端面２２Ｃに取り付けられ、端子金具１３０´は端面２２Ｄに取り付けられる。
【００４６】
図８を参照して、端子金具１１０についてさらに説明する。図８は、端子金具１１０及び端子金具１３０の展開図である。端子金具１１０´は端子金具１１０と同形状に形成され、端子金具１３０´は端子金具１３０と同形状に形成されるので、図８及び図９には、端子金具１１０及び端子金具１３０のみを示し、端子金具１１０´及び端子金具１３０´についての説明は省略する。
【００４７】
これらの図に示すように、端子金具１１０は、側面部１１１を有する。側面部１１１は、平面帯状の帯状部１１２と、この帯状部１１２に連続するように形成された幅広の拡張部１１３とを有する。拡張部１１３は、帯状部１１２の長辺に対して傾斜した辺部１１３Ａ，１１３Ｂを介して帯状部１１２に接続される。本発明の一実施形態において、帯状部１１２の下端付近には、三角形の形状を有する接合面１１６が設けられている。接合面１１６の上向きの斜辺には、接合面１１６との間に巻線３２，３４を挟んで止めるための係止片１１８と、当該巻線３２，３４を溶接により固定する固定部１２０と、が設けられている。
【００４８】
端子金具１３０は、側面部１３１を有している。この側面部１３１は、平面帯状の帯状部１３２と、この帯状部に連続するように形成された幅広の拡張部１３３とを有する。拡張部１３３は、前記帯状部１３２の長辺に対して傾斜した辺部１３３Ａ，１３３Ｂを介して接続されることで、前記帯状部１３２と位置がずれている。この帯状部１３２の下側には、三角形状の接合面１３６が設けられている。接合面１３６の下向きの斜辺には、当該接合面１３６との間に巻線３２，３４を挟んで止めるための係止片１３８と、当該巻線３２，３４を溶接により固定する固定部１４０と、が設けられている。
【００４９】
次に、図９を参照して、端子金具を折り曲げる工程を説明する。図９は、端子金具１１０を折り曲げる工程を示す図である。図９においては、端子金具１１０を例にとり説明するが、当業者であれば、他の端子金具１１０´、端子金具１３０、及び端子金具１３０´についても同様の工程で折り曲げられることを理解できる。
【００５０】
まず、図９（Ａ）に示されているように、展開されている端子金具１１０の帯状部１１２の上側を、破線Ｌ１及びＬ２に沿って折り曲げることで、図９（Ｂ）に示すように、上面接触部１１２Ａ及び嵌合部１１２Ｂが形成される。また、拡張部１１３を破線Ｌ３に沿って折り曲げることで、図９（Ｂ）に示すように、実装部１１４が形成される。また、帯状部１１２を破線Ｌ４に沿って折り曲げることで、図９（Ｂ）に示す接合面１１６が得られる。また、接合面１１６を破線Ｌ５及びＬ６に沿って折り曲げることで、図９（Ｂ）及び図９（Ｃ）に示されている係止片１１８及び固定部１２０が形成される。
【００５１】
このようにして折り曲げられた端子金具１１０は、図９（Ｂ）に示されている形状を有する。このように折り曲げられた端子金具１１０を、フランジ１６の端面１６Ｃ側に取り付ける。端子金具１１０は、前記側面部１１１がフランジ端面１６Ｅに接触し、上面接触部１１２Ａがフランジ上面１６Ｂに接触し、嵌合部１１２Ｂがフランジ１６の面取り１６Ｇに係合し、実装部１１４がフランジ下面１６Ａに接触し、接合面１１６がフランジ１６の溝１８の底面に接触するように、フランジ１６に取り付けられる。端子金具１１０´も同様にしてフランジ２２の端面２２Ｃ側に取り付けられる。
【００５２】
端子金具１３０も同様にしてフランジ１６の端面１６Ｄ側に取り付けられる。すなわち、図９（Ｂ）に示されている端子金具１１０と同様に折り曲げられた端子金具１３０は、前記側面部１３１が、フランジ端面１６Ｅに接触し、上面接触部１３２Ａがフランジ上面１６Ｂに接触し、嵌合部１３２Ｂがフランジ１６の面取り１６Ｇに係合し、実装部１３４がフランジ下面１６Ａに接触し、接合面１３６が、フランジ１６の溝２０の底面に接触するように、フランジ１６に取り付けられる。端子金具１３０´も同様にして、フランジ２２の端面２２Ｄ側に取り付けられる。
【００５３】
板コア６０は、例えば、Ｎｉ−Ｚｎフェライト材から形成された板状の部材であり、フランジ１６の上面１６Ｂ及びフランジ２２の上面２２Ｂにエポキシ（Ｔｇ１２５℃仕様）を用いて接着される。板コア６０は、例えば、長さが４．５ｍｍ、幅が３．２ｍｍ、高さが０．６ｍｍとなるように構成される。本発明の一実施形態において、板コア６０の透磁率（μ）は、４００〜１０００とされ、例えば５００とされる。
【００５４】
図６及び図７を参照して、ドラムコア１２に対する巻線３２及び巻線３４の配置について説明する。図６は、コモンモードフィルタ１００を左側面側から見た（矢印Ｆ１ｂ方向から見た）ときの巻線３２及び巻線３４の配置を模式的に示す模式図であり、図７は、コモンモードフィルタ１００を上面側から見た（矢印Ｆ１ｄ方向から見た）ときの巻線３２及び巻線３４の配置を模式的に示す模式図である。
【００５５】
これらの図に示されているように、巻線３２は、巻回開始位置Ｐ１１から巻回終了位置Ｐ２１まで巻芯１４の外表面に巻回された巻回部３２Ｃと、巻回開始位置Ｐ１１から延伸して端子電極４０に接合される引出し部３２Ａと、巻回終了位置Ｐ２１から延伸して端子電極４６に接合される引出し部３２Ｂと、を備える。巻線３４は、巻回開始位置Ｐ３１（図５参照）から巻回終了位置Ｐ４１まで巻芯１４の外表面に巻回された巻回部３４Ｃと、巻回開始位置Ｐ３１から延伸して端子電極４２に接合される引出し部３４Ａと、巻回終了位置Ｐ４１から延伸して端子電極４４に接合される引出し部３４Ｂと、を備える。このように、巻回部３２Ｃ（３４Ｃ）は、巻線３２（３４）のうち巻芯１４の外周面に直接に又は間接的に巻回されている部分を指す。巻線が一段巻の場合には、当該巻線の巻回部は、巻芯１４の外周面に直接巻回されている。他方、巻線が二段以上巻回されている場合には、二段目以降の巻回部は、巻芯１４の外周面に、下段にある巻線を介して間接的に巻回される。引出し部３２Ａ（３４Ａ）は、巻線３２（３４）のうちその一方の端部から巻回部３２Ｃ（３４Ｃ）に至るまでの部分を指し、引出し部３２Ｂ（３４Ｂ）は、巻線３２（３４）のうちその他方の端部から巻回部３２Ｃ（３４Ｃ）に至るまでの部分を指す。
【００５６】
本発明の一実施形態において、巻線３２の引出し部３２Ａは、巻回開始位置Ｐ１１からフランジ１６の端面１６Ｃの内側端にあるフランジ接触位置Ｐ１２まで直線状に延伸しているブリッジ部３２Ａ１と、このフランジ接触位置Ｐ１２から係止片１１８を通って固定部１２０まで延伸する接合部３２Ａ２と、を有する。巻線３２は、この接合部３２Ａ２を介して、端子金具１１０（端子電極４０）と電気的に接続される。接合部３２Ａ２は、フランジ接触位置Ｐ１２から係止片１１８まで直線状に延伸する。巻線３２は、引出し部３２Ａを接合面１１６と係止片１１８との間に挟み込み、また、必要に応じて固定部１２０を溶かして引出し部３２Ａの先端を接合面１１６に溶接することで、端子電極４０に係止される。本願明細書においては、端子電極４０のうち、巻線３２を係止する部位を、当該端子電極４０の係止部と呼ぶ。端子電極４０の係止部には、接合面１１６、係止片１１８、及び固定部１２０のうち少なくとも１つ又は全部が含まれる。
【００５７】
巻線３２の引出し部３２Ｂは、巻回終了位置Ｐ２１からフランジ２２の端面２２Ｄの内側端にあるフランジ接触位置Ｐ２２まで直線状に延伸しているブリッジ部３２Ｂ１と、このフランジ接触位置Ｐ２２から係止片１３８´を通って固定部１４０´まで延伸する接合部３２Ｂ２と、を有する。巻線３２は、この接合部３２Ｂ２を介して、端子金具１３０´（端子電極４６）と電気的に接続される。接合部３２Ｂ２は、フランジ接触位置Ｐ２２から係止片１３８´まで直線状に延伸する。巻線３２は、引出し部３２Ｂを接合面１３６´と係止片１３８´との間に挟み込み、また、必要に応じて固定部１４０´を溶かして引出し部３２Ｂの先端を接合面１３６´に溶接することで、端子電極４６に係止される。本願明細書においては、端子電極４６のうち、巻線３２を係止する部位を、当該端子電極４６の係止部と呼ぶ。端子電極４６の係止部には、接合面１３６´、係止片１３８´、及び固定部１４０´のうち少なくとも１つ又は全部が含まれる。
【００５８】
本発明の一実施形態において、巻線３４の引出し部３４Ａは、巻回開始位置Ｐ３１からフランジ１６の端面１６Ｄの内側端にあるフランジ接触位置Ｐ３２まで直線状に延伸しているブリッジ部３４Ａ１と、このフランジ接触位置Ｐ３２から係止片１３８を通って固定部１４０まで延伸する接合部３４Ａ２と、を有する。巻線３４は、この接合部３４Ａ２を介して、端子金具１３０（端子電極４２）と電気的に接続される。接合部３４Ａ２は、フランジ接触位置Ｐ３２から係止片１３８まで直線状に延伸する。巻線３４は、引出し部３４Ａを接合面１３６と係止片１３８との間に挟み込み、また、必要に応じて固定部１４０を溶かして引出し部３４Ａの先端を接合面１３６に溶接することで、端子電極４２に係止される。本願明細書においては、端子電極４２のうち、巻線３４を係止する部位を、当該端子電極４２の係止部と呼ぶ。端子電極４２の係止部には、接合面１３６、係止片１３８、及び固定部１４０のうち少なくとも１つ又は全部が含まれる。
【００５９】
本発明の一実施形態において、巻線３４の引出し部３４Ｂは、巻回終了位置Ｐ４１からフランジ２２の端面２２Ｃの内側端にあるフランジ接触位置Ｐ４２まで直線状に延伸しているブリッジ部３４Ｂ１と、このフランジ接触位置Ｐ４２から係止片１１８´を通って固定部１２０´まで延伸する接合部３４Ｂ２と、を有する。巻線３４は、この接合部３４Ｂ２を介して、端子金具１１０´（端子電極４４）と電気的に接続される。接合部３４Ｂ２は、フランジ接触位置Ｐ４２から係止片１１８´まで直線状に延伸する。巻線３４は、引出し部３４Ｂを接合面１１６´と係止片１１８´との間に挟み込み、また、必要に応じて固定部１２０´を溶かして引出し部３４Ｂの先端を接合面１１６´に溶接することで、端子電極４４に係止される。本願明細書においては、端子電極４４のうち、巻線３４を係止する部位を、当該端子電極４４の係止部と呼ぶ。端子電極４４の係止部には、接合面１１６´、係止片１１８´、及び固定部１２０´のうち少なくとも１つ又は全部が含まれる。
【００６０】
図６に最も明瞭に示されているように、本発明の一実施形態において、巻回開始位置Ｐ１１及び巻回開始位置Ｐ３１は、巻芯１４の中心Ｃ１を基準として互いに点対称な位置に配されている。巻芯１４の中心Ｃ１は、例えば、当該巻線１４の断面（巻線１４をその軸芯に垂直な面で切断した断面）の重心の位置を指す。例えば、巻芯１４が図６のように断面長方形に形成されている場合には、その対角線の交点が巻芯１４の中心Ｃ１となる。同様に、巻回終了位置Ｐ２１及び巻回終了位置Ｐ４１も、巻芯１４の中心Ｃ１を基準として互いに点対称な位置に配されている。
【００６１】
本発明の一実施形態においては、フランジ接触位置Ｐ１２とフランジ接触位置Ｐ３２も巻芯１４の中心Ｃ１を基準として互いに点対称な位置に配されてもよい。また、フランジ接触位置Ｐ２２とフランジ接触位置Ｐ４２も巻芯１４の中心Ｃ１を基準として互いに点対称な位置に配されてもよい。
【００６２】
図７に最も明瞭に示されているように、本発明の一実施形態において、巻回開始位置Ｐ１１及び巻回開始位置Ｐ３１はいずれも、フランジ１６の内側の側面１６Ｆに平行な仮想面Ｓ１上に配される。この配置により、巻回開始位置Ｐ１１からフランジ１６までの距離（巻回開始位置Ｐ１１からフランジ１６の側面１６Ｆに下ろした垂線の長さ）と、巻回開始位置Ｐ３１からフランジ１６までの距離（巻回開始位置Ｐ３１からフランジ１６の側面１６Ｆに下ろした垂線の長さ）とは互いに等しくなる。同様に、巻回終了位置Ｐ２１及び巻回終了位置Ｐ４１はいずれも、フランジ２２の内側の側面２２Ｆに平行な仮想面Ｓ２上に配される。この配置により、巻回終了位置Ｐ２１からフランジ２２までの距離（巻回終了位置Ｐ２１からフランジ２２の側面２２Ｆに下ろした垂線の長さ）と、巻回終了位置Ｐ４１からフランジ２２までの距離（巻回終了位置Ｐ４１からフランジ２２の側面２２Ｆに下ろした垂線の長さ）とは互いに等しくなる。
【００６３】
本発明の一実施形態においては、上記の端子電極４０の係止部と上記の端子電極４２の係止部とが巻芯１４の中心Ｃ１を基準として互いに点対称な位置に配され、また、上記の端子電極４４の係止部と上記の端子電極４６の係止部とが当該中心Ｃ１を基準として互いに点対称な位置に配される。例えば、図６に示した実施形態においては、本発明の一実施形態においては、巻線３２の接合部３２Ａ２を係止する係止片１１８と、巻線３４の接合部３４Ａ２を係止する係止片１３８とが、巻芯１４の中心Ｃ１を基準として互いに点対称な位置に配されている。また、巻線３２の接合部３２Ｂ２を係止する係止片１３８´と、巻線３４の接合部３４Ｂ２を係止する係止片１１８´も、巻芯１４の中心Ｃ１を基準として互いに点対称な位置に配される。
【００６４】
上述した巻線３２及び巻線３４の配置によれば、巻線３２のブリッジ部３２Ａ１の長さと巻線３４のブリッジ部３４Ａ１の長さとが互いに等しくなり、巻線３２のブリッジ部３２Ｂ１の長さと巻線３４のブリッジ部３４Ｂ１の長さとが互いに等しくなる。また、巻線３２の接合部３２Ａ２の長さと巻線３４の接合部３４Ａ２の長さとが互いに等しくなり、巻線３２の接合部３２Ｂ２の長さと巻線３４の接合部３４Ｂ２の長さとが互いに等しくなる。
【００６５】
以上述べたように、上述した実施形態によれば、巻線３２の引出し部３２Ａの長さと巻線３４の引出し部３４Ａの長さとが等しく、巻線３２の引出し部３２Ｂの長さと巻線３４の引出し部３４Ｂの長さとが等しく、巻線３２の巻回部３２Ｃの長さと巻線３４の巻回部３４Ｃの長さとが等しくなるので、巻線３２の長さと巻線３４の長さとを等しくすることができる。
【００６６】
本発明の一実施形態においては、図５に示すように、正面視において、引出し部３２Ａが、巻回開始位置Ｐ１１と係止片１１８のうち正面視において巻回開始位置Ｐ１１に最も近い位置にある係止点Ｐ１３とを結ぶ仮想線ＶＬ１に沿って配置される。図示は省略するが、引出し部３２Ｂ，３４Ａ，３４Ｂについても同様の配置とされる。例えば、引出し部３４Ａは、正面視において、巻回開始位置Ｐ３１と係止片１３８のうち正面視において巻回開始位置Ｐ３１に最も近い位置にある係止点とを結ぶ仮想線に沿って配置される。かかる配置は、引出し部３２Ａ，３２Ｂ，３４Ａ，３４Ｂを、対応する係合片１１８，１３８´、１３８，１１８´によって係止する際に、当該引出し部に緩みが生じない程度の張力をかけることにより実現される。
【００６７】
次に、図１０を参照して、コモンモードフィルタ１００の製造手順の一例を説明する。まず、ドラムコア１２を形成する。具体的には、Ｎｉ−Ｚｎフェライト材にバインダーを混合し、この混合材を成形金型により圧縮成形してドラム型をした成形体を得る。この成形体に対しては、必要に応じバリ取りを行う。この成形体を所定の焼成温度で焼結することで、軸部１４と鍔部１６，２２を有するドラムコア１２が得られる。
【００６８】
また、板コア６０を形成する。板コア６０は、Ｎｉ−Ｚｎフェライト材にバインダーを混合し、この混合材を成形金型により圧縮成形して板状の成形体を得る。この成形体を焼結することで、板コア６０が得られる。
【００６９】
また、図９（Ｂ）に示すように折り曲げられた端子金具１１０，１１０´，１３０，１３０´を準備する。
【００７０】
次に、図１０（Ａ）に示すように、フランジ１６の端面１６Ｃ及びフランジ２２の端面２２Ｃ側に、前記端子金具１１０，１１０´をそれぞれ装着するとともに、フランジ１６の端面１６Ｄ及びフランジ２２の端面２２Ｄ側に前記端子金具１３０，１３０´をそれぞれ装着する。このとき、前記フランジ１６，２２の外側の端面１６Ｅ，２２Ｅの所定の位置には、組付けた端子金具１１０，１１０´，１３０，１３０´の接着及び精度良く位置決めさせるために端面接着位置１５０，側面接着位置１５２のいずれか、または両方に接着剤を塗布してもよい。端面接着位置１５０は前記フランジ１６，２２の高さ方向の中央より上側に配置する。
【００７１】
次に、図１０（Ｂ）に示すように、巻線３２を、軸部１４の外周面に必要な回数だけ巻回し、次いで巻線３４を軸部１４の外周面に巻回する。巻線３４は、巻線３２に隣接する位置に巻回され、また、巻線３２と同じ周回方向に同じ回数だけ巻回される。
【００７２】
次に、図１０（Ｃ）に示すように、仮止めした引出し部３２Ａ，３２Ｂ，３４Ａ，３４Ｂを溶接により固定する。具体的には、固定部１２０，１４０部ＢをＹＡＧレーザを用いて溶かすことにより、引出し部３２Ａ，３２Ｂ，３４Ａ，３４Ｂを溶接により固定する。
【００７３】
次に、図１０（Ｄ）に示すように、フランジ１６の上面１６Ｂ及びフランジ２２の上面２２Ｂの上面接着位置１５４に接着剤を塗布し、この上面１６Ｂ及び上面２２BDに板コア６０を接着する。板コア６０を接着する際には、くぼみ６２Ａ，６２Ｂ，６２Ｃ，６２Ｄと、端子金具１１０，１３０の上面接触部１１２Ａ，１３２Ａとが対向する位置にあるように、板コア６０をフランジ１６及びフランジ２２に対して位置合わせする。以上のようにして得られたコモンモードフィルタ１００は、端子金具１１０，１１０´，１３０，１３０´の実装部１１４，１３４を、半田付けすることによって電子部品等に実装される。
【００７４】
より具体的には、まず、引出し部３２Ａを接合面１１６と係止片１１８との間に挟み込むことで、巻線３２を接合面１１６に対して仮固定する。続いて、固定部１２０をＹＡＧレーザにより溶かすことで、係止片１１８から露出している引出し部３２Ａの先端を接合面１１６に溶接する。これにより、巻線３２の一端が端子金具１１０に固定される。次に、巻線３２を係止片１１８から、フランジ接触位置Ｐ１２を経由して巻回開始位置Ｐ１１まで伸ばし、この巻回開始位置Ｐ１１から巻芯１４の外表面上に巻回終了位置Ｐ２１まで巻回する。次に、巻回終了位置Ｐ２１からフランジ接触位置Ｐ２２を経由して係止片１３８´まで巻線３２の引出し部３２Ｂを伸ばし、この引出し部３２Ｂを接合面１３６´と係止片１３８´との間に挟み込むことで、巻線３２を接合面１３６´に対して仮固定する。続いて、固定部１４０´をＹＡＧレーザにより溶かすことで、係止片１３８´から露出している引出し部３２Ｂの先端を接合面１３６´に溶接する。巻線３４も同様の手順で巻芯１４の周囲に巻回される。かかる接合手順により、巻線３２の溶接時に、当該巻線３２を係止片１３８´により仮固定しているので、溶接時に巻線３２が緩むことを防止できる。
【００７５】
次に、図１２を参照して、本発明の他の実施形態によるコモンモードフィルタに備えられる端子金具について説明する。図１２（Ａ）には、上述した端子金具１１０が比較のために再掲されている。この端子金具１１０は、その上面接触部１１２Ａの先端を折り曲げることで、フランジ上面１６Ｂ側に設けた面取り部１６Ｇに係合する嵌合部１１２Ｂが設けられている。図１２（Ｂ）に示されている端子金具１１０Ａは、端面部１１２の下側、すなわち、実装部１１４の先端を折り曲げて嵌合部１１５を形成し、フランジ下面１６Ａ側に設けた面取り部１６Ｈに係合させるように構成されている。すなわち、端子金具１１０Ａでは、フランジの上下に設けた面取り部１６Ｇ，１６Ｈに、嵌合部１１２Ｂ，１１５を係合させることができる。図１２（Ｃ）に示す端子金具１１０Ｂは、上面接触部１１２Ａの内側に突起１２２が設けられ、フランジ上面１６Ｂに、前記突起１２２が係合する上面溝１６Ｉが設けられている。
【００７６】
本発明に適用可能な端子金具は、図示したものには限られない。例えば、フランジ上面側だけでなく、同様に実装部１１４に突起、フランジ下面１６Ａに溝を設けてもよい。また、フランジ下面１６Ａ側に面取り部１６Ｈを設け、フランジ上面１６Ｂ側には位置決め用の上面溝１６Ｉを設け、端子金具の上面接触部１１２Ａに突起１２２を設け、実装部１１４の先端を折り曲げて嵌合部１１５を形成するようにしてもよい。
【００７７】
次に、図１１を参照して、端子金具１３０´側の接合面１３６への巻線３２の接合機構について説明する。図１１（Ａ）及び図１１（Ｃ）は、端子金具１３０´を拡大して示す拡大図であり、図１１（Ｂ）は、図１１（Ａ）を＃Ｃ−＃Ｃ線に沿って切断した断面図である。図１１（Ｂ）に示すように、係止片１３８は、接合面１３６の一辺から起立するように形成された平板状の部材を、接合面１３６に向かって折り曲げ線Ｌ６に沿って折り曲げることで形成される。
【００７８】
係止片１３８は、この折り曲げ線Ｌ６から近い順に、受け部１３８Ａ、抑制部１３８Ｂ、及び先端部１３８Ｃを有する。受け部１３８Ａ、抑制部１３８Ｂ、及び先端部１３８Ｃは、接合面からそれぞれ距離ｄａ、距離ｄｂ、距離ｄｃだけ離間している。係止片１３８は、距離ｄａが距離ｄｂ及び距離ｄｃのいずれよりも大きくなるように形成される。また、係止片１３８は、距離ｄａが巻線３２の径よりも大きくなるように形成されることが望ましい。これにより、巻線３２にダメージを与えずに巻線３２を係止することができる。
【００７９】
本発明の一実施形態において、係止片１３８は、距離ｄｂが距離ｄａ及び距離ｄｃよりも小さく、巻線３２の径よりも小さくなるように形成される。これにより、受け部１３８Ａに通した巻線３２が、受け部１３８Ａからずれないようにすることができる。先端部１３８Ｃと接合面１３６間の距離ｄｃは、前記ｄａよりも小さく、ｄｂよりも大きく設定されている。
【００８０】
本発明の一実施形態において、係止片１３８は、折り曲げ線Ｌ６が巻回開始位置Ｐ１１と係止点Ｐ１３とを結ぶ仮想線ＶＬ１（図５参照）と同一線上に配されるように構成される。これにより、係止片１３８の受け部１３８Ａの幅方向全長に亘って引出し部３２Ｂを係止することができるので、引出し部３２Ｂを安定して保持することができる。
【００８１】
引出し部３２Ｂが係止部１３８に仮止めされた状態で、係止部１３８から露出している巻線３２の先端が、固定部１４０の幅広部１４０Ｂと重なる位置に配される。固定部１４０も、係止部１３８と同様に、接合面１３６の一辺から起立するように形成された平板状の部材を、接合面１３６に向かって折り曲げることで形成される。この固定部１４０と重なるように巻線３２の先端を配した上で、当該固定部１４０をＹＡＧレーザを用いて溶かすことにより、溶融した部分が盛り上がるとともにその幅が収縮して、全体的に丸みを帯びた接続部１４０Ｃが形成される。
【００８２】
端子金具１１０，１１０´，１３０も、上記で説明した端子金具１３０´と同様に構成される。
【００８３】
次に、図１３を参照して、本発明の他の実施形態によるコモンモードフィルタの各巻線の配置について説明する。図１３は、本発明の他の実施形態によるコモンモードフィルタを左側面側から見たときの各巻線の配置を模式的に示す模式図である。図１３に示す実施形態におけるコモンモードフィルタは、断面円形の巻芯１４´を有する。巻芯１４´の中心はＣ１´で表されている。よって、図１３に示すコモンモードフィルタ１００´は、巻芯１４´の形状が図６のコモンモードフィルタ１００と異なっている。また、巻芯の形状が異なっているため、当然に図１３に示されている巻回開始位置Ｐ１１´及び巻回開始位置Ｐ３１´の位置が図６の巻回開始位置Ｐ１１及び巻回開始位置Ｐ３１とは異なっている。
【００８４】
図１３に示したコモンモードフィルタ１００´においても、巻回開始位置Ｐ１１´及び巻回開始位置Ｐ３１´は、巻芯１４の中心Ｃ１´を基準として互いに点対称な位置に配されており、係止片１１８及び係止片１３８、巻芯１４の中心Ｃ１´を基準として互いに点対称な位置に配されている。さらに、図示は省略しているが、図１３のコモンモードフィルタ１００´においても、巻回終了位置及び巻回終了位置も、巻芯１４´の中心Ｃ１´を基準として互いに点対称な位置に配されている。
【００８５】
このように巻芯の断面形状が変わっても、対応する巻回開始位置、券回終了位置、係止部の位置を巻芯の中心を基準として点対称な位置に配置することにより、巻線３２の引出し部３２Ａの長さと巻線３４の引出し部３４Ａの長さとを等しくすることができ、巻線３２の引出し部３２Ｂの長さと巻線３４の引出し部３４Ｂの長さとを等しくすることができる。また、図１３に示したコモンモードフィルタ１００´においても、コモンモードフィルタ１００と同様に、巻回部３２Ｃと巻回部３４Ｃとは、同一の周方向に同一周回数だけ巻回されるので、互いに長さが等しい。したがって、コモンモードフィルタ１００´においても、対応する巻回開始位置、券回終了位置、係止片の位置を巻芯の中心を基準として点対称な位置に配置することにより、巻線３２の長さと巻線３４の長さとを等しくすることができる。
【００８６】
次に、図１４を参照して、端子金具の接合面へ巻線３２を接合する機構の他の例について説明する。図１４は、本発明の一実施形態による端子金具２３０を拡大して示す拡大図である。この端子金具２３０は、図１１に示されている端子金具１３０´に代えて本発明によるコモンモードフィルタ１００に適用される。
【００８７】
端子金具２３０は、接合面２３６と、係止片２３８と、固定部２４０と、を備える。係止片２３８は、接合面２３６の一辺から起立するように形成された平板状の部材を、接合面２３６に向かって折り曲げ線Ｌ６´に沿って折り曲げることで形成される。この折り曲げ線Ｌ６´は、図１１（Ａ）の折り曲げ線Ｌ６と比べて、巻芯１４の軸芯方向に対してより大きく傾いている。
図１４に示されている接合面２３６は、図１１（Ａ）の接合面１３６と比べて巻芯１４の軸芯方向に対してより大きく傾いている。
【００８８】
かかる構成によれば、引出し部３２Ｂを図１１（Ａ）と同じ角度で端子金具２３０に侵入させることにより、折り曲げ線Ｌ６´が引出し部３２Ｂに対して傾くことになる。引出し部３２Ｂの端子金具２３０への取付時には、引出し部３２Ｂを折り曲げ線Ｌ６´に沿って延伸するように配置した上で、係止片２３８を折り曲げ線Ｌ６´に沿って折り曲げることにより、図１４に示すように、引出し部３２Ｂを接合面２３６に仮止めすることができる。このとき、引出し部３２Ｂは、屈曲部Ｐ５で屈曲される。屈曲部Ｐ５は、係止片２３８のうち、巻線３２のうち券回終了位置に最も近い係止点に相当する位置にある。
【００８９】
かかる配置によれば、巻線３２に対して係止片２３８から抜ける方向に力が加えられた場合であっても、引出し部３２Ｂの屈曲した部位が係止片２３８に引っ掛かって係止片２３８から抜けにくくなる。
【００９０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。例えば、端子電極４０，４２，４４，４６は、対応するフランジ１６，２２にＡｇペーストを焼付け、この焼き付けられたＡｇペーストの表面にＮｉめっき及びＳｎめっきを順に行うことで形成されてもよい。
【符号の説明】
【００９１】
１００：コモンモードフィルタ
１２：ドラムコア
１４：巻芯
１６，２２：フランジ
３２，３４：導線
３２Ａ，３２Ｂ，３４Ａ，３４Ｂ：引出し部
４０，４２，４４，４６：端子電極
６０：板コア
１１０，１１０´，１３０，１３０´，２３０：端子金具
１１８，１３８，２３８：係止片
【図１】
2018107306.tif 000003
【図２】
2018107306.tif 000004
【図３】
2018107306.tif 000005
【図４】
2018107306.tif 000006
【図５】
2018107306.tif 000007
【図６】
2018107306.tif 000008
【図７】
2018107306.tif 000009
【図８】
2018107306.tif 000010
【図９】
2018107306.tif 000011
【図１０】
2018107306.tif 000012
【図１１】
2018107306.tif 000013
【図１２】
2018107306.tif 000014
【図１３】
2018107306.tif 000015
【図１４】
2018107306.tif 000016